(57)【要約】【課題】設定項目毎に設定条件を変更可能な操作者の属性を選択する。【解決手段】操作者属性変更設定画面において（ステップＳ４）、操作者の属性の変更を希望する設定項目と（ステップＳ５）、その設定項目を変更可能な操作者の属性（ステップＳ６）を選択することにより、設定項目毎に設定条件を変更可能な操作者の属性を設定する（ステップＳ８，Ｓ９，Ｓ１０）。【選択図】図３
2005342905.tif 000002
【特許請求の範囲】
【請求項１】
画像データに基づいて画像形成を行う画像形成装置において、
前記画像形成装置の設定条件を変更可能な操作者の属性を設定項目毎に選択するための選択手段と、
前記設定項目毎に選択された属性の操作者に対してのみ前記設定条件の変更を許可する制御手段と、
を備えたことを特徴とする画像形成装置。
【請求項２】
請求項１に記載の画像形成装置において、
前記設定条件は、前記画像形成装置の初期設定条件、操作設定条件、動作設定条件又は管理設定条件であることを特徴とする画像形成装置。
【請求項３】
請求項１又は２に記載の画像形成装置において、
前記操作者の属性は、一般使用者、管理者又はサービスマンであることを特徴とする画像形成装置。
【請求項４】
請求項１〜３のいずれか一項に記載の画像形成装置において、
前記設定条件を変更するための設定画面を表示する表示手段と、
前記操作者の属性毎に当該属性の操作者が変更可能な設定項目を前記表示手段に表示させる表示制御手段と、
を備えたことを特徴とする画像形成装置。
【請求項５】
請求項１〜３のいずれか一項に記載の画像形成装置において、
前記設定条件を変更するための設定画面を表示する表示手段と、
前記操作者の属性にかかわらず各設定項目を前記表示手段の同一画面に表示させる表示制御手段と、
を備えたことを特徴とする画像形成装置。
【請求項６】
請求項５に記載の画像形成装置において、
前記各設定項目の設定条件を変更する際に、当該設定項目の設定条件を変更可能な操作者の属性に応じて、操作者の認証を行う認証手段を備えたことを特徴とする画像形成装置。
【請求項７】
画像データに基づいて画像形成を行う画像形成装置の設定方法において、
前記画像形成装置の設定条件を変更可能な操作者の属性を設定項目毎に選択させ、
前記設定項目毎に選択された属性の操作者に対してのみ前記設定条件の変更を許可することを特徴とする画像形成装置の設定方法。
【請求項８】
請求項７に記載の画像形成装置の設定方法において、
前記設定条件は、前記画像形成装置の初期設定条件、操作設定条件、動作設定条件又は管理設定条件であることを特徴とする画像形成装置の設定方法。
【請求項９】
請求項７又は８に記載の画像形成装置の設定方法において、
前記操作者の属性は、一般使用者、管理者又はサービスマンであることを特徴とする画像形成装置の設定方法。
【請求項１０】
請求項７〜９のいずれか一項に記載の画像形成装置の設定方法において、
前記設定条件を変更するための設定画面を表示し、
前記設定画面を表示する際に、前記操作者の属性毎に当該属性の操作者が変更可能な設定項目を表示することを特徴とする画像形成装置の設定方法。
【請求項１１】
請求項７〜９のいずれか一項に記載の画像形成装置の設定方法において、
前記設定条件を変更するための設定画面を表示し、
前記設定画面を表示する際に、前記操作者の属性にかかわらず各設定項目を同一画面に表示することを特徴とする画像形成装置の設定方法。
【請求項１２】
請求項１１に記載の画像形成装置の設定方法において、
前記各設定項目の設定条件を変更する際に、当該設定項目の設定条件を変更可能な操作者の属性に応じて、操作者の認証を行うことを特徴とする画像形成装置の設定方法。
【発明の詳細な説明】
【技術分野】
【０００１】
本発明は、画像形成装置及び画像形成装置の設定方法に関する。
【背景技術】
【０００２】
一般に、複写機やプリンタ等の画像形成装置が使用されているが、より良い条件で画像形成を行うために、画像形成装置における設定条件を変更する場合がある。
【０００３】
画像形成装置に対して専門的な知識を持たない一般の使用者にあらゆる設定条件の変更を許可すると、問題が生じるおそれがあるため、一般使用者や管理者等の操作者の属性に応じて変更可能な設定項目を分けている場合が多い。例えば、管理者と個人ユーザとが別々に画像形成装置の設定情報を登録する技術が提案されている（特許文献１参照。）。
【特許文献１】特開２００１−４３０５０号公報
【発明の開示】
【発明が解決しようとする課題】
【０００４】
しかし、画像形成装置の使用環境や用途により、各設定条件の変更を許可したい操作者の属性が異なる場合があった。例えば、画像形成時の倍率の微調整は、一般オフィスでは、一般使用者には許可したくないため、管理者のみが変更可能な設定項目としたい。一方、ＰＯＤ（Print On Demand：オンデマンド印刷）等の軽印刷業界では、一般使用者が特定の専任オペレータであるため、用途や使用紙種により、ジョブ毎に微調整を行う場合があり、一般使用者が変更可能な設定項目としたい。
【０００５】
本発明は上記の従来技術における問題に鑑みてなされたものであって、設定項目毎に設定条件を変更可能な操作者の属性を選択することができる画像形成装置及び画像形成装置の設定方法を提供することを課題とする。
【課題を解決するための手段】
【０００６】
請求項１に記載の発明は、画像データに基づいて画像形成を行う画像形成装置において、前記画像形成装置の設定条件を変更可能な操作者の属性を設定項目毎に選択するための選択手段と、前記設定項目毎に選択された属性の操作者に対してのみ前記設定条件の変更を許可する制御手段と、を備えたことを特徴とする。
【０００７】
請求項２に記載の発明は、請求項１に記載の画像形成装置において、前記設定条件は、前記画像形成装置の初期設定条件、操作設定条件、動作設定条件又は管理設定条件であることを特徴とする。
【０００８】
請求項３に記載の発明は、請求項１又は２に記載の画像形成装置において、前記操作者の属性は、一般使用者、管理者又はサービスマンであることを特徴とする。
【０００９】
請求項４に記載の発明は、請求項１〜３のいずれか一項に記載の画像形成装置において、前記設定条件を変更するための設定画面を表示する表示手段と、前記操作者の属性毎に当該属性の操作者が変更可能な設定項目を前記表示手段に表示させる表示制御手段と、を備えたことを特徴とする。
【００１０】
請求項５に記載の発明は、請求項１〜３のいずれか一項に記載の画像形成装置において、前記設定条件を変更するための設定画面を表示する表示手段と、前記操作者の属性にかかわらず各設定項目を前記表示手段の同一画面に表示させる表示制御手段と、を備えたことを特徴とする。
【００１１】
請求項６に記載の発明は、請求項５に記載の画像形成装置において、前記各設定項目の設定条件を変更する際に、当該設定項目の設定条件を変更可能な操作者の属性に応じて、操作者の認証を行う認証手段を備えたことを特徴とする。
【００１２】
請求項７に記載の発明は、画像データに基づいて画像形成を行う画像形成装置の設定方法において、前記画像形成装置の設定条件を変更可能な操作者の属性を設定項目毎に選択させ、前記設定項目毎に選択された属性の操作者に対してのみ前記設定条件の変更を許可することを特徴とする。
【００１３】
請求項８に記載の発明は、請求項７に記載の画像形成装置の設定方法において、前記設定条件は、前記画像形成装置の初期設定条件、操作設定条件、動作設定条件又は管理設定条件であることを特徴とする。
【００１４】
請求項９に記載の発明は、請求項７又は８に記載の画像形成装置の設定方法において、前記操作者の属性は、一般使用者、管理者又はサービスマンであることを特徴とする。
【００１５】
請求項１０に記載の発明は、請求項７〜９のいずれか一項に記載の画像形成装置の設定方法において、前記設定条件を変更するための設定画面を表示し、前記設定画面を表示する際に、前記操作者の属性毎に当該属性の操作者が変更可能な設定項目を表示することを特徴とする。
【００１６】
請求項１１に記載の発明は、請求項７〜９のいずれか一項に記載の画像形成装置の設定方法において、前記設定条件を変更するための設定画面を表示し、前記設定画面を表示する際に、前記操作者の属性にかかわらず各設定項目を同一画面に表示することを特徴とする。
【００１７】
請求項１２に記載の発明は、請求項１１に記載の画像形成装置の設定方法において、前記各設定項目の設定条件を変更する際に、当該設定項目の設定条件を変更可能な操作者の属性に応じて、操作者の認証を行うことを特徴とする。
【発明の効果】
【００１８】
請求項１、７に記載の発明によれば、設定項目毎に選択された属性の操作者に対してのみ設定条件の変更を許可するので、設定項目毎に設定条件を変更可能な操作者の属性を選択することができる。
【００１９】
請求項２、８に記載の発明によれば、画像形成装置の初期設定条件、操作設定条件、動作設定条件又は管理設定条件について、設定項目毎に設定条件を変更可能な操作者の属性を選択することができる。
【００２０】
請求項３、９に記載の発明によれば、設定項目毎に操作者の属性を一般使用者、管理者又はサービスマンの中から選択することができる。
【００２１】
請求項４、１０に記載の発明によれば、操作者の属性毎に、変更可能な設定項目を表示することができる。
【００２２】
請求項５、１１に記載の発明によれば、操作者の属性にかかわらず各設定項目を同一画面に表示することができる。
【００２３】
請求項６、１２に記載の発明によれば、各設定項目の設定条件を変更する際に、設定項目の設定条件を変更可能な操作者の属性に応じて、操作者の認証を行うので、設定条件の変更を許可された操作者であることを確認した後に、設定条件を変更することができる。
【発明を実施するための最良の形態】
【００２４】
［第１の実施の形態］
以下、図を参照して本発明の第１の実施の形態を詳細に説明する。
図１に、第１の実施の形態における画像形成装置１の断面構成を示す。
図１に示すように、画像形成装置１は、画像読取部２０、操作部３０、プリンタ部４０、給紙ユニット５０、後処理ユニット６０を備えて構成される。
【００２５】
画像読取部２０は、自動紙送り機構であるＡＤＦ（Auto Document Feeder）部２１、スキャナ部２２を備えて構成される。ＡＤＦ部２１は、原稿台に載置された原稿を搬送してスキャナ部２２に送り出し、スキャナ部２２は、搬送された原稿を光走査してラインイメージセンサＣＣＤにより光電変換して原稿画像を読み取る。
【００２６】
画像読取部２０により読み取られた原稿画像データには、各種画像処理が施され、印刷用画像データとしてプリンタ部４０に出力される。
【００２７】
操作部３０は、表示部３１と、数字ボタン、印刷開始を指示するためのスタートボタン、ユーティリティボタン３３等の各種機能ボタンとから構成される。表示部３１は、ＬＣＤ（Liquid Crystal Display）とＬＣＤ上を覆うように設けられたタッチパネルから構成され、設定条件の設定画面等の各種操作画面や、各種処理結果を表示する。
【００２８】
プリンタ部４０は、電子写真方式の画像形成を行うものであり、給紙ユニット５０から給紙された印刷用紙を搬送する搬送機構４１、印刷用紙に画像形成を行う画像形成部４２、印刷用紙上に形成されたトナー像を定着させる定着部４３から構成される。また、画像形成部４２は、像担持体である感光ドラム、感光ドラムの帯電を行う帯電部、画像データに基づいて感光ドラム表面に露光走査する露光部、感光ドラムにトナーを付着させる現像部、感光ドラム上に形成されたトナー像を印刷用紙に転写する転写部、感光ドラム上の残トナーを除去するクリーニング部から構成される。
【００２９】
給紙ユニット５０は、給紙トレイ５１〜５４の４つの給紙トレイを備えて構成される。なお、本実施の形態では、４つの給紙トレイを備えることとしたが、その数は特に限定しない。各給紙トレイ５１〜５４には、普通紙、裏紙、再生紙、上質紙等の用紙種及びサイズが異なる印刷用紙を収容することが可能である。
【００３０】
後処理ユニット６０は、画像形成された印刷用紙にソート処理、パンチ（穴開け）処理、ステープル処理等の各種後処理を施し、小冊子や製本を作成することが可能である。
【００３１】
次に、図２を参照して、画像形成装置１の内部構成を説明する。
図２に示すように、画像形成装置１は、制御部１０、画像読取部２０、操作部３０、プリンタ部４０、給紙ユニット５０、後処理ユニット６０、プリントコントローラ部７０から構成される。なお、図１で説明した各部と同一の構成部には、同一の符号を付してその説明を省略することとする。
【００３２】
制御部１０は、画像制御部１１、プログラムメモリ１２、ＲＡＭ（Random Access Memory）１３、記憶部１４、読取処理部１５、ＤＲＡＭ制御ＩＣ１６、画像メモリ１７、書込処理部１８から構成される。
【００３３】
画像制御部１１は、ＣＰＵ（Central Processing Unit）等から構成され、プログラムメモリ１２に格納されている各種処理プログラムを読み出して、当該プログラムとの協働により画像形成装置１の各部の処理動作を統括的に制御する。
【００３４】
具体的に、画像制御部１１は、画像形成装置１の設定条件を変更可能な操作者の属性を設定項目毎に選択させ、設定項目毎に選択された属性の操作者に対してのみ設定条件の変更を許可する。画像形成装置１の設定条件には、画像形成装置１の初期設定条件、操作設定条件、動作設定条件又は管理設定条件が含まれる。
【００３５】
初期設定とは、機能に対して、複数のパラメータ選択が可能な場合に、その機能を選択したときに最初に選択されているパラメータをいう。例えば、画像形成装置１の表示言語をどの言語にするかを設定する言語選択設定（図８参照）、画像の読込み濃度設定（図６参照）等が挙げられる。画像の読込み濃度は、ＥＥ（自動濃度判別）とマニュアル９段階（淡い４／淡い３／淡い２／淡い１／普通／濃い１／濃い２／濃い３／濃い４）の濃度から選択可能である。電源投入時やオートリセットにより初期状態になったときに、初期設定で”ＥＥ”が選択されている場合には、初期状態では”ＥＥ”の状態になる。初期設定変更で、画像の読込み濃度をマニュアル濃度の”淡い１”に変更した場合には、初期状態では”淡い１”の状態になる。
【００３６】
操作設定とは、機能に対して、操作方法が変わる設定をいう。例えば、操作者が最後にいずれかのボタンを触ってから何秒後にオートリセットが働くかを決定するオートリセット設定（図８参照）、倍率設定におけるズームアップボタンの操作設定等が挙げられる。倍率を変更する際に、ズームアップボタンを押下すると１％刻みで倍率が上がるよう設定されているが、ズームアップボタンの操作設定により、ズームアップボタンを押下し続けた場合にも１％刻みで倍率が上がる、ズームアップボタンを３秒以上押下し続けた場合には１０％刻みで倍率が上がる、又はズームアップボタンを５秒以上押下し続けた場合には１０％刻みで倍率が上がる、等のいずれかに設定することができる。
【００３７】
動作設定とは、機能に対して、機械動作が変わる設定をいう。例えば、用紙に印刷する際の先端の書き出しタイミングを調整する先端タイミング調整（図６参照）、画像補正を行う際の動作設定等が挙げられる。画像補正を行う際の動作設定とは、コピー中に画像に対する補正が必要となる場合があるが、動作設定選択により、出力しているものを即時停止させて補正する、出力している部数の区切りで停止させて補正する、又は出力しているものを出力完了後に補正する、のいずれかに設定することができる。
【００３８】
管理設定とは、画像形成装置１を使用するための管理状態の設定をいう。例えば、その機械を使うために、部門管理（部門認証）が必要かどうかを選択する部門管理設定（図８参照）等が挙げられる。
【００３９】
また、操作者の属性は、本実施の形態においては、一般使用者、会社等の施設内で画像形成装置１を管理する管理者、又は画像形成装置１のメンテナンスを行うサービスマンであるとして説明するが、これらに限定されない。
【００４０】
また、画像制御部１１は、各設定項目の設定条件を変更する際に、設定項目の設定条件を変更可能な操作者の属性に応じて、操作部３０から入力される管理者ＩＤ及びパスワードと記憶部１４に記憶されている管理者ＩＤ及びパスワードとを比較し、操作者の認証を行う。
【００４１】
プログラムメモリ１２は、画像形成装置１の印刷に係る各種処理プログラム等を記憶する。
【００４２】
ＲＡＭ１３は、画像制御部１１により実行される各種プログラム及びこれらプログラムに係るデータを一時的に記憶するワークエリアを形成する。
【００４３】
記憶部１４は、不揮発性メモリ等から構成され、画像形成装置１の各種設定条件、及び各種設定条件を変更可能な操作者の属性を示す情報等を記憶する。また、記憶部１４は、管理者認証を行う際の管理者ＩＤ及びパスワードを予め記憶している。
【００４４】
読取処理部１５は、画像読取部２０のスキャナ部２２から入力されるアナログ画像信号に、シェーディング補正処理、Ａ／Ｄ変換処理を行ってデジタル画像データを生成する。生成された画像データは、ＤＲＡＭ制御ＩＣ１６に出力される。
【００４５】
ＤＲＡＭ制御ＩＣ１６は、画像制御部１１からの指示に従って、画像データに圧縮／伸張処理を施すとともに、画像メモリ１７への画像データの入出力制御を行う。例えば、画像読取部２０により読み取られた画像データの保存が指示されると、読取処理部１５から入力された画像データに圧縮処理を施して、画像メモリ１７の圧縮メモリ１７ａに格納させる。また、圧縮メモリ１７ａに格納された圧縮画像データの印刷出力が指示されると、圧縮メモリ１７ａから圧縮画像データを読み出し、伸張処理を施して書込処理部１８に出力する。
【００４６】
画像メモリ１７は、ＤＲＡＭ（Dynamic RAM）から構成され、圧縮メモリ１７ａを備える。圧縮メモリ１７ａは、圧縮画像データを格納するためのメモリである。
【００４７】
書込処理部１８は、ＤＲＡＭ制御ＩＣ１６から入力された画像データに基づいて、画像形成のための印刷データを生成し、プリンタ部４０に出力する。
【００４８】
画像読取部２０は、ＡＤＦ部２１、スキャナ部２２、読取制御部２３から構成される。読取制御部２３は、画像制御部１１からの指示に従って、ＡＤＦ部２１、スキャナ部２２を制御して原稿面の光走査を実行させ、読み取られたアナログ画像信号を制御部１０の読取処理部１５に出力する。
【００４９】
操作部３０は、表示部３１と一体型に構成されるタッチパネル、各種機能ボタン、操作部制御部３２から構成される。操作部制御部３２は、各種機能ボタン又はタッチパネルにより操作された操作信号を画像制御部１１に出力する。また、操作部制御部３２は、画像制御部１１からの指示に従って、表示部３１に各種操作画面や、各種処理結果を表示させる。
【００５０】
プリンタ部４０は、画像形成部４２等の印刷に係る各部やプリンタ制御部４４を備えて構成される。プリンタ制御部４４は、画像制御部１１からの指示に従って、プリンタ部４０の各部の動作を制御し、書込処理部１８から入力された画像データに基づいて印刷用紙に画像形成を行わせる。
【００５１】
給紙ユニット５０は、図１に示した給紙トレイ５１〜５４を備えて構成される。また、後処理ユニット６０は、プリンタ部４０から出力された画像形成済みの印刷用紙に各種後処理を施す。
【００５２】
プリントコントローラ部７０は、ＬＡＮ（Local Area Network）等の通信回線を介して外部のＰＣから受信した画像データを画像形成可能なデータに変換し、ＤＲＡＭ制御ＩＣ１６に出力する。
【００５３】
次に、第１の実施の形態における動作を説明する。
図３は、画像形成装置１により実行される操作者属性変更処理を示すフローチャートである。操作者属性変更処理は、画像形成装置１のサービスマンの操作入力に基づいて、各設定項目に対して操作者の属性を変更する処理である。
【００５４】
まず、サービスマンが操作部３０において操作入力を行うことにより、サービスマン設定モードが選択されると（ステップＳ１）、表示部３１にサービスマン設定画面が表示される（ステップＳ２）。
【００５５】
表示部３１に表示されるサービスマン設定画面上で操作者属性変更ボタンが押下された場合には（ステップＳ３；ＹＥＳ）、表示部３１に図４（ａ）に示す操作者属性変更設定画面３１１が表示される（ステップＳ４）。
【００５６】
そして、操作者の属性の変更を希望する設定項目が選択され（ステップＳ５）、その設定項目を変更可能な操作者の属性が選択される（ステップＳ６）。図４（ｂ）に、操作者属性変更設定画面３１１において、操作者の属性を変更する設定項目として倍率調整ボタンａ１が選択され、設定項目を変更可能な操作者の属性として管理者ボタンａ２が選択された例を示す。
【００５７】
ここで、選択された操作者の属性が判断される（ステップＳ７）。選択された操作者の属性が「一般」の場合には（ステップＳ７；一般）、操作者属性が「一般使用者」に設定される（ステップＳ８）。選択された操作者の属性が「管理者」の場合には（ステップＳ７；管理者）、操作者属性が「管理者」に設定される（ステップＳ９）。選択された操作者の属性が「サービス」の場合には（ステップＳ７；サービス）、操作者属性が「サービスマン」に設定される（ステップＳ１０）。
【００５８】
そして、図４（ｂ）に示すＯＫボタンａ３が押下された場合には（ステップＳ１１；ＹＥＳ）、選択された設定項目の操作者属性が決定する。
【００５９】
ここで、操作者属性変更処理を終了しない場合には（ステップＳ１２；ＮＯ）、ステップＳ４に戻り、他の設定項目について操作者の属性の変更が行われる。
【００６０】
操作者属性変更処理を終了する場合には（ステップＳ１２；ＹＥＳ）、サービスマン設定モードに戻り、処理が終了する。
【００６１】
次に、各設定項目について設定条件を変更する設定変更処理１について説明する。
図５は、画像形成装置１により実行される設定変更処理１を示すフローチャートである。
【００６２】
まず、画像形成装置１において電源が投入されると（ステップＳ２１）、表示部３１に通常画面が表示される（ステップＳ２２）。ここで、操作部３０のユーティリティボタン３３が押下された場合には（ステップＳ２３；ＹＥＳ）、表示部３１に、図６に示す一般使用者設定画面３１２が表示される（ステップＳ２４）。一般使用者設定画面３１２に表示される設定項目は、図４（ａ）において現在の属性が「一般」に設定されている設定項目である。操作者属性変更処理において、操作者の属性が変更された場合には、変更後の設定が反映される。
【００６３】
次に、図６に示す一般使用者設定画面３１２において、管理者モードボタンｂ１が押下された場合には（ステップＳ２５；ＹＥＳ）、ステップＳ２９へ移行する。
【００６４】
管理者モードボタンｂ１が押下されない場合には（ステップＳ２５；ＮＯ）、一般使用者による設定条件の変更が行われる。図６に示す一般使用者設定画面３１２において、設定項目ボタン（倍率調整ボタンｂ２、先端タイミング調整ボタンｂ３、ステープル幅調整ボタンｂ４、初期画面設定ボタンｂ５、読込み濃度オフセット設定ボタンｂ６等）が押下された場合には（ステップＳ２６；ＹＥＳ）、表示部３１に対象となる設定項目の設定変更画面が表示され、設定条件の変更が行われる（ステップＳ２７）。設定条件の変更を終了しない場合には（ステップＳ２８；ＮＯ）、ステップＳ２４に戻る。
【００６５】
ステップＳ２５において、管理者モードボタンｂ１が押下された場合には（ステップＳ２５；ＹＥＳ）、管理者による設定条件の変更が行われる。表示部３１には、図７に示す管理者認証画面３１３が表示される（ステップＳ２９）。管理者認証画面３１３にて、管理者ＩＤとパスワードが入力される（ステップＳ３０）。入力された管理者ＩＤ及びパスワードと記憶部１４に記憶されている管理者ＩＤ及びパスワードとが比較され、管理者ＩＤとパスワードの認証が成功した場合には（ステップＳ３１；ＹＥＳ）、表示部３１に、図８に示す管理者設定画面３１４が表示される（ステップＳ３２）。管理者設定画面３１４に表示される設定項目は、図４（ａ）において現在の属性が「管理者」に設定されている設定項目である。操作者属性変更処理において、操作者の属性が変更された場合には、変更後の設定が反映される。
【００６６】
管理者設定画面３１４において、設定項目ボタン（部門管理設定ボタンｃ１、オートリセット設定ボタンｃ２、言語選択ボタンｃ３、ＩＰアドレス設定ボタンｃ４、ウィークリータイマー設定ボタンｃ５等）が押下された場合には（ステップＳ３３；ＹＥＳ）、表示部３１に対象となる設定項目の設定変更画面が表示され、設定条件の変更が行われる（ステップＳ３４）。設定条件の変更を終了しない場合には（ステップＳ３５；ＮＯ）、ステップＳ３２に戻る。
【００６７】
ステップＳ２８又はステップＳ３５において、設定条件の変更を終了する場合には（ステップＳ２８；ＹＥＳ、ステップＳ３５；ＹＥＳ）、設定変更処理１が終了する。
【００６８】
第１の実施の形態における画像形成装置１によれば、設定項目毎に選択された属性の操作者に対してのみ設定条件の変更を許可するので、設定項目毎に設定条件を変更可能な操作者の属性を選択することができる。したがって、使用環境や対象となる操作者に応じて画像形成装置１を制御する制御プログラムを作成する必要がなく、画像形成装置毎の使用環境や操作者に合わせて各種設定条件を変更することができる。
【００６９】
また、操作者の属性毎に変更可能な設定項目を表示するので、操作性を向上させることができる。
【００７０】
なお、第１の実施の形態の設定変更処理１では、一般使用者又は管理者が各設定項目の設定条件を変更する場合について説明したが、サービスマンについてもサービスマンのみが操作可能なサービスマン設定画面において、操作者属性がサービスマンに設定された各設定項目の設定条件を変更することができる。
【００７１】
また、第１の実施の形態の設定変更処理１では、図６に示すように、一般使用者設定画面３１２に管理者モードボタンｂ１が表示されることとしたが、ユーティリティボタン３３が押下された後、一般使用者モードボタンと管理者モードボタンとが表示され、選択されたボタンに応じて、各々の設定項目一覧が表示されることとしてもよい。
【００７２】
［第２の実施の形態］
次に、本発明を適用した第２の実施の形態について説明する。
第２の実施の形態における画像形成装置は、第１の実施の形態に示した画像形成装置１と同様の構成であるため、同一の構成部分については同一の符号を付し、その構成については図示及び説明を省略する。
【００７３】
また、第１の実施の形態において説明した操作者属性変更処理についても同様であるので、説明を省略する。以下、第２の実施の形態に特徴的な処理について説明する。
【００７４】
第１の実施の形態では、操作者の属性毎に変更可能な設定項目を表示部３１に表示したが、第２の実施の形態では、操作者の属性にかかわらず各設定項目を表示部３１の同一画面に表示する。
【００７５】
図９は、第２の実施の形態の画像形成装置により実行される設定変更処理２を示すフローチャートである。
まず、第２の実施の形態の画像形成装置において電源が投入されると（ステップＳ４１）、表示部３１に通常画面が表示される（ステップＳ４２）。ここで、操作部３０のユーティリティボタン３３が押下された場合には（ステップＳ４３；ＹＥＳ）、表示部３１に、図１０に示す一般使用者・管理者設定画面３１５が表示される（ステップＳ４４）。
【００７６】
次に、一般使用者・管理者設定画面３１５において、設定項目ボタン（倍率調整ボタンｄ１、先端タイミング調整ボタンｄ２、ステープル幅調整ボタンｄ３、部門管理設定ボタンｄ４、ＩＰアドレス設定ボタンｄ５等）が押下された場合には（ステップＳ４５；ＹＥＳ）、その設定項目を変更可能な操作者属性が管理者に設定されているか否かが判断される（ステップＳ４６）。操作者属性が管理者に設定されている設定項目については、図１０に示す部門管理設定ボタンｄ４やＩＰアドレス設定ボタンｄ５のように「管理者モード」と記されている。
【００７７】
設定項目の操作者属性が管理者に設定されていない場合には（ステップＳ４６；ＮＯ）、表示部３１に対象となる設定項目の設定変更画面が表示され、設定条件の変更が行われる（ステップＳ４７）。設定条件の変更を終了しない場合には（ステップＳ４８；ＮＯ）、ステップＳ４４に戻る。
【００７８】
ステップＳ４６において、設定項目の操作者属性が管理者に設定されている場合には（ステップＳ４６；ＹＥＳ）、表示部３１に、図７に示す管理者認証画面３１３が表示され（ステップＳ４９）、管理者ＩＤとパスワードが入力される（ステップＳ５０）。入力された管理者ＩＤ及びパスワードと記憶部１４に記憶されている管理者ＩＤ及びパスワードとが比較され、管理者ＩＤとパスワードの認証が成功した場合には（ステップＳ５１；ＹＥＳ）、表示部３１に対象となる設定項目の設定変更画面が表示され、設定条件の変更が行われる（ステップＳ５２）。設定条件の変更を終了しない場合には（ステップＳ５３；ＮＯ）、ステップＳ４４に戻る。
【００７９】
ステップＳ４８又はステップＳ５３において、設定条件の変更を終了する場合には（ステップＳ４８；ＹＥＳ、ステップＳ５３；ＹＥＳ）、設定変更処理２が終了する。
【００８０】
第２の実施の形態における画像形成装置によれば、設定項目毎に選択された属性の操作者に対してのみ設定条件の変更を許可するので、設定項目毎に設定条件を変更可能な操作者の属性を選択することができる。したがって、使用環境や対象となる操作者に応じて画像形成装置を制御する制御プログラムを作成する必要がなく、画像形成装置毎の使用環境や操作者に合わせて各種設定条件を変更することができる。
【００８１】
また、操作者の属性にかかわらず各設定項目を同一画面に表示するので、設定条件の検索が容易になる。また、一般使用者がその設定項目の変更を許可されていない場合においても、設定項目一覧が表示されることにより、サービスマンに操作者の属性の変更を依頼することが可能となる。
【００８２】
また、各設定項目の設定条件を変更する際に、設定項目の操作者属性が管理者に設定されている場合には、操作者の認証を行うので、設定条件の変更を許可された操作者であることを確認した後に、設定条件を変更することができる。
【００８３】
第２の実施の形態の設定変更処理２では、一般使用者が変更可能な設定項目と管理者が変更可能な設定項目を同一画面に表示する場合について説明したが、サービスマンが変更可能な設定項目についても同様に同一画面に表示することとしてもよい。
【００８４】
なお、上記各実施の形態における記述は、本発明に係る好適な画像形成装置の例であり、これに限定されるものではない。画像形成装置を構成する各部の細部構成及び細部動作に関しても本発明の趣旨を逸脱することのない範囲で適宜変更可能である。
【００８５】
例えば、第１の実施の形態で説明した操作者の属性毎に変更可能な設定項目を表示する表示方法と、第２の実施の形態で説明した操作者の属性にかかわらず各設定項目を同一画面に表示する表示方法とを設定により選択可能とすることとしてもよい。
【図面の簡単な説明】
【００８６】
【図１】第１の実施の形態における画像形成装置１の断面構成図である。
【図２】画像形成装置１の内部構成を示すブロック図である。
【図３】画像形成装置１により実行される操作者属性変更処理を示すフローチャートである。
【図４】操作者属性変更処理時に表示部３１に表示される操作者属性変更設定画面３１１の表示例である。
【図５】画像形成装置１により実行される設定変更処理１を示すフローチャートである。
【図６】設定変更処理１時に表示部３１に表示される一般使用者設定画面３１２の表示例である。
【図７】設定変更処理１時に表示部３１に表示される管理者認証画面３１３の表示例である。
【図８】設定変更処理１時に表示部３１に表示される管理者設定画面３１４の表示例である。
【図９】第２の実施の形態の画像形成装置により実行される設定変更処理２を示すフローチャートである。
【図１０】設定変更処理２時に表示部３１に表示される一般使用者・管理者設定画面３１５の表示例である。
【符号の説明】
【００８７】
１  画像形成装置
１０  制御部
１１  画像制御部
１２  プログラムメモリ
１３  ＲＡＭ
１４  記憶部
１５  読取処理部
１６  ＤＲＡＭ制御ＩＣ
１７  画像メモリ
１８  書込処理部
２０  画像読取部
２１  ＡＤＦ部
２２  スキャナ部
２３  読取制御部
３０  操作部
３１  表示部
３２  操作部制御部
４０  プリンタ部
４２  画像形成部
４４  プリンタ制御部
５０  給紙ユニット
６０  後処理ユニット
７０  プリントコントローラ部
【図１】
2005342905.tif 000003
【図２】
2005342905.tif 000004
【図３】
2005342905.tif 000005
【図４】
2005342905.tif 000006
【図５】
2005342905.tif 000007
【図６】
2005342905.tif 000008
【図７】
2005342905.tif 000009
【図８】
2005342905.tif 000010
【図９】
2005342905.tif 000011
【図１０】
2005342905.tif 000012